(57)【要約】【課題】２つの遊技機の取付け装置を１つの操作部で遠隔操作することにより、作業効率良く遊技機の枠部の傾斜を調整できる遊技機の取付け装置用の遠隔操作ユニットを提供する。【解決手段】本開示の一態様は、遠隔操作ユニット３０１において、第１の上クランプ１Ａ−１に備わる調整ネジ２２を回転動作させる第１動作部３１１−１と、第２の上クランプ１Ａ−２に備わる調整ネジ２２を回転動作させる第２動作部３１１−２と、第１動作部３１１−１と第２動作部３１１−２に接続し、第１動作部３１１−１と第２動作部３１１−２に対して調整ネジ２２を回転動作させるための調整ネジ回転動力を伝達する動力伝達部３１２と、動力伝達部３１２に接続し、動力伝達部３１２に対して調整ネジ回転動力を付与する操作を行う操作部３１３と、を有する。【選択図】図１２
2019136325.tif 000002
【特許請求の範囲】
【請求項１】
遊技機を遊技機島に設置する遊技機の取付け装置を遠隔操作する遊技機の取付け装置用の遠隔操作ユニットにおいて、
前記遊技機の取付け装置は、前記遊技機の枠部の傾斜を調整する軸状の調整軸を備えており、
前記遊技機の取付け装置として、第１の遊技機の取付け装置と第２の遊技機の取付け装置とが設けられているときに、
前記第１の遊技機の取付け装置に備わる前記調整軸に接続し、前記調整軸を当該調整軸の軸中心に回転動作させる第１動作部と、
前記第２の遊技機の取付け装置に備わる前記調整軸に接続し、前記調整軸を当該調整軸の軸中心に回転動作させる第２動作部と、
前記第１動作部と前記第２動作部に接続し、前記第１動作部と前記第２動作部に対して前記調整軸を当該調整軸の軸中心に回転動作させるための調整軸回転動力を伝達する動力伝達部と、
前記動力伝達部に接続し、前記動力伝達部に対して前記調整軸回転動力を付与する操作を行う操作部と、を有すること、
を特徴とする遊技機の取付け装置用の遠隔操作ユニット。
【請求項２】
請求項１の遊技機の取付け装置用の遠隔操作ユニットにおいて、
前記動力伝達部は、前記第１動作部に接続する第１動力伝達部材と、前記第２動作部に接続する第２動力伝達部材と、を備え、
前記操作部は、前記第１動力伝達部材に接続する第１操作機構と、前記第２動力伝達部材に接続する第２操作機構と、を備えていること、
を特徴とする遊技機の取付け装置用の遠隔操作ユニット。
【請求項３】
請求項２の遊技機の取付け装置用の遠隔操作ユニットにおいて、
前記操作部は、前記第１操作機構に設けられる第１プーリと、前記第２操作機構に設けられる第２プーリと、前記第１プーリと前記第２プーリに巻き掛けられるタイミングベルトと、を備えること、
を特徴とする遊技機の取付け装置用の遠隔操作ユニット。
【請求項４】
請求項２の遊技機の取付け装置用の遠隔操作ユニットにおいて、
前記操作部は、前記第１操作機構に設けられる第１プーリと、前記第２操作機構に設けられる第２プーリと、前記第１プーリと前記第２プーリの間に設けられる第３プーリと、前記第１プーリと前記第３プーリに巻き掛けられる第１タイミングベルトと、前記第２プーリと前記第３プーリに巻き掛けられる第２タイミングベルトと、を備えること、
を特徴とする遊技機の取付け装置用の遠隔操作ユニット。
【請求項５】
請求項２の遊技機の取付け装置用の遠隔操作ユニットにおいて、
前記操作部は、前記第１動力伝達部材に接続する第１操作機構歯車と、前記第２動力伝達部材に接続する第２操作機構歯車と、前記第１操作機構歯車と前記第２操作機構歯車に噛み合う主歯車と、を備えること、
を特徴とする遊技機の取付け装置用の遠隔操作ユニット。
【請求項６】
請求項２乃至５のいずれか１つの遊技機の取付け装置用の遠隔操作ユニットにおいて、
前記操作部は、前記第１動力伝達部材と前記第２動力伝達部材の両方に対して前記調整軸回転動力を付与する両側動力付与モードと、前記第１動力伝達部材または前記第２動力伝達部材のいずれか一方に対して前記調整軸回転動力を付与する片側動力付与モードと、に切り替え可能な動力付与モード切替機構を備えていること、
を特徴とする遊技機の取付け装置用の遠隔操作ユニット。
【請求項７】
請求項１乃至６のいずれか１つの遊技機の取付け装置用の遠隔操作ユニットにおいて、
前記第１動作部と前記第２動作部は、前記動力伝達部に接続する動力伝達部側接続部と、前記調整軸に接続する調整軸側接続部と、前記動力伝達部側接続部と前記調整軸側接続部との間で前記調整軸回転動力を伝達する歯車機構と、を備えていること、
を特徴とする遊技機の取付け装置用の遠隔操作ユニット。
【請求項８】
請求項１乃至７のいずれか１つの遊技機の取付け装置用の遠隔操作ユニットにおいて、
前記動力伝達部は、フレキシブルシャフトを備えていること、
を特徴とする遊技機の取付け装置用の遠隔操作ユニット。
【請求項９】
請求項１乃至８のいずれか１つの遊技機の取付け装置用の遠隔操作ユニットにおいて、
前記遊技機の取付け装置は、
前記遊技機島に固定される島側固定部と、
前記枠部に巻き付けられる帯状部材と、
前記帯状部材の一方の端部を保持可能な保持部と、
前記帯状部材の他方の端部を保持することで、前記枠部を前記遊技機の後方側に引き付け可能に構成される帯状部材保持部と、を備えていること、
を特徴とする遊技機の取付け装置用の遠隔操作ユニット。
【発明の詳細な説明】
【技術分野】
【０００１】
本開示は、遊技機を遊技機島に設置する遊技機の取付け装置を遠隔操作する遊技機の取付け装置用の遠隔操作ユニットに関する。
【背景技術】
【０００２】
特許文献１には、パチンコ遊技機の取付け装置が開示されている。このパチンコ遊技機の取付け装置では、六角レンチの先端を第１操作部材の穴に差し込んで回すことによって生じた操作太軸部の回転が無端ベルトを介して太軸部に伝えられ、結果として、ボルトを回転させて収納部材を前後動させる。そして、これにより、可動部材によって固定された枠体の上面が前後動させられて、遊技機の傾斜角の調整を行う。
【先行技術文献】
【特許文献】
【０００３】
【特許文献１】特許第５３８９５９６号公報
【発明の概要】
【発明が解決しようとする課題】
【０００４】
しかしながら、特許文献１に開示された装置では、２つの遊技機の取付け装置を遊技機の枠部における左右の位置にそれぞれ設けた場合に、この２つの遊技機の取付け装置を１つの操作部により遠隔操作することができない。そのため、遊技機の傾きを調整する作業に手間が掛かってしまい、作業効率が良くない。
【０００５】
そこで、本開示は上記した問題点を解決するためになされたものであり、２つの遊技機の取付け装置を１つの操作部で遠隔操作することにより、作業効率良く遊技機の枠部の傾斜を調整できる遊技機の取付け装置用の遠隔操作ユニットを提供することを目的とする。
【課題を解決するための手段】
【０００６】
上記課題を解決するためになされた本開示の一形態は、遊技機を遊技機島に設置する遊技機の取付け装置を遠隔操作する遊技機の取付け装置用の遠隔操作ユニットにおいて、前記遊技機の取付け装置は、前記遊技機の枠部の傾斜を調整する軸状の調整軸を備えており、前記遊技機の取付け装置として、第１の遊技機の取付け装置と第２の遊技機の取付け装置とが設けられているときに、前記第１の遊技機の取付け装置に備わる前記調整軸に接続し、前記調整軸を当該調整軸の軸中心に回転動作させる第１動作部と、前記第２の遊技機の取付け装置に備わる前記調整軸に接続し、前記調整軸を当該調整軸の軸中心に回転動作させる第２動作部と、前記第１動作部と前記第２動作部に接続し、前記第１動作部と前記第２動作部に対して前記調整軸を当該調整軸の軸中心に回転動作させるための調整軸回転動力を伝達する動力伝達部と、前記動力伝達部に接続し、前記動力伝達部に対して前記調整軸回転動力を付与する操作を行う操作部と、を有すること、を特徴とする。
【発明の効果】
【０００７】
本開示の遊技機の取付け装置用の遠隔操作ユニットによれば、２つの遊技機の取付け装置を１つの操作部で遠隔操作することにより、作業効率良く遊技機の枠部の傾斜を調整できる。
【図面の簡単な説明】
【０００８】
【図１】第１実施形態の遊技機の取付け装置を使用して遊技機の枠部を遊技機島に設置した状態を示す斜視図（不図示の遊技機の後方斜めから見た図）である。
【図２】第１実施形態の上クランプ周辺の斜視図である。
【図３】第１実施形態の上クランプの側面図である。
【図４】第１実施形態の上クランプの側面図（図３と反対側の側面の図）である。
【図５】第１実施形態の上クランプの断面図である。
【図６】第１実施形態の上クランプの分解斜視図である。
【図７】第１，２実施形態の下クランプ周辺の斜視図である。
【図８】第１，２実施形態の下クランプの側面図である。
【図９】第２実施形態の上クランプ周辺の斜視図である。
【図１０】第２実施形態の上クランプの側面図である。
【図１１】第２実施形態の上クランプを構成する固定ベースと可動ベースの分解斜視図である。
【図１２】本実施形態の遠隔操作ユニットを上クランプに取り付けた状態を示す外観斜視図である。
【図１３】本実施形態の遠隔操作ユニットの分解斜視図である。
【図１４】カバーを外したときの第１動作部（第２動作部）の分解斜視図である。
【図１５】第１動作部（第２動作部）の断面図である。
【図１６】操作部の分解斜視図である。
【図１７】（Ａ）カバーを外したときの操作部の正面図である。（Ｂ）図１７（Ａ）のＡ−Ａ断面図である。
【図１８】接続部とシャフトの側面図（シャフトロック状態の図）である。
【図１９】図１８のＢ−Ｂ断面図である。
【図２０】図１９に対応する図（シャフトリリーフ状態の図）である。
【図２１】第１変形例の操作部についてカバーを外したときの操作部の斜視図である。
【図２２】（Ａ）第１変形例においてカバーを外したときの操作部の正面図である。（Ｂ）図２２（Ａ）のＣ−Ｃ断面図である。
【図２３】第２変形例の操作部の外観斜視図である。
【図２４】第２変形例の操作部の断面図である。
【発明を実施するための形態】
【０００９】
本開示の遊技機の取付け装置用の遠隔操作ユニット（以下、適宜、単に「遠隔操作ユニット」ともいう。）の実施形態について、図面を参照しながら詳細に説明する。本実施形態の遠隔操作ユニットは、遊技機を遊技機島に設置する遊技機の取付け装置を遠隔操作するものである。そこで、まず、遊技機の取付け装置について説明した後に、本実施形態の遠隔操作ユニットについて説明する。なお、以下の説明において、「上下方向」とは遊技機島に設置される遊技機の上下方向であり、「前後方向」とは遊技機島に設置される遊技機の前後方向であり、「左右方向」とは遊技機島に設置される遊技機の左右方向である。
【００１０】
（遊技機の取付け装置の説明）
まず、遊技機の取付け装置について説明する。
【００１１】
〔第１実施形態〕
まず、第１実施形態の遊技機の取付け装置について説明する。本実施形態では、図１に示すように、上クランプ１と下クランプ２（補助固定具）とを有する遊技機の取付け装置を使用して、遊技機島１０１（以下、適宜、単に「島１０１」ともいう。）に遊技機の枠部２０１（以下、適宜、単に「枠部２０１」ともいう。）が取り付けられている。
【００１２】
島１０１は、木製のテーブル１１１と水平材１１２を備えている。そして、テーブル１１１の上にエラストマー製（ゴム製）の敷きシート１２１を介して枠部２０１が載置された状態で、テーブル１１１と水平材１１２との間に枠部２０１が嵌め込まれている。このようにテーブル１１１の上に敷きシート１２１を敷くことにより、島１０１と枠部２０１の間のクリアランスを小さくしながらテーブル１１１と枠部２０１の下部２１２（下方向の部分）との間にて弾性力と摩擦力を発生させることができる。そのため、テーブル１１１の上に安定して枠部２０１が載置される。なお、一般的な遊技機島は、強度を維持するために主に金属性の部品を用いて形成されるものであるが、その一部を木製にて構成することにより、遊技機の枠部と島設備の木製部材とを釘を用いて固定することが可能となっている。本実施形態の島１０１においても、テーブル１１１及び水平材１１２は木製となっているが、その一部に金属等の他の素材が用いられていてもよい。
【００１３】
枠部２０１は、４枚の板状部材を組み合わせて矩形に形成されているものであり、「外枠」とも称されることがある。そして、枠部２０１の内側の空間には、不図示の遊技盤を取付け可能な遊技機枠（内枠）を取付けることが可能であり、更に、枠部２０１（外枠）及び内枠の前面側に前枠（前扉部）を取付けることで、遊技機を構成する。なお、外枠には、内枠及び前枠に設けられた支軸を支持可能な機構が設けられており、内枠及び前枠は、外枠に対して回動自在になっている。なお、枠部２０１への遊技機の固定方法は、周知技術を用いて行われる。なお、枠部２０１は、木製であるが、その一部に金属等の他の素材が用いられていてもよい。
【００１４】
図１に示す例では、上クランプ１と下クランプ２は、各々２つ使用されている。そして、上クランプ１は枠部２０１の上部２１１（上方向の部分）を島１０１の水平材１１２に取り付けており、下クランプ２は枠部２０１の下部２１２を島１０１のテーブル１１１に取り付けている。なお、図１に示す例においては、上クランプ１として左右対称な構造のものが２つ使用されているが、いずれも構成部品は共通している。
【００１５】
次に、上クランプ１について説明する。図２〜図６に示すように、上クランプ１は、ベース１１（第１島側固定部）と、スライダ１２（嵌合部）と、プレート１３（板状部材）と、ストッパ１４（当接部材）と、ピン１５（保持部）と、ベルト１６（帯状部材）と、ラチェット機構１７（帯状部材保持部）と、ナットベース２１と、調整ネジ２２などを有する。
【００１６】
図６に示すように、ベース１１は、本体部３１と第１ベース鍔部３２と第２ベース鍔部３３とガイド孔３４などを備えている。本体部３１は、前後方向及び下方向に開口するようにしてコの字状断面に形成されている。第１ベース鍔部３２と第２ベース鍔部３３は、それぞれ本体部３１の両方の側面３１ａの下側端縁から外側へ水平方向に折り曲げて形成されている。そして、ベース１１は、この第１ベース鍔部３２に設けられた開口部３２ａと第２ベース鍔部３３に設けられた開口部３３ａに挿入された締結具（例えばボルトやネジ）により、図２〜図５に示すように島１０１の水平材１１２に固定されている。また、ガイド孔３４は、本体部３１の側面３１ａに形成されている。また、ガイド孔３４の上部には、遊技機の傾斜調整時に使用するケガキ線からなる目盛り５７が設けられている。
【００１７】
図３〜図５に示すように、スライダ１２は、ベース１１の内側にてベース１１と嵌合している。このスライダ１２は、図６に示すように、本体部３５と一対のスライダ鍔部３６などを備えている。本体部３５は、前後方向及び下方向に開口するようにしてコの字状断面に形成されている。一対のスライダ鍔部３６は、それぞれ本体部３５の両方の側面３５ａの後側端縁から外側へ水平方向に折り曲げて形成されている。そして、スライダ１２は、このスライダ鍔部３６に設けられた開口部３６ａに挿入された締結具により、図３〜図５に示すようにプレート１３に取り付けられている。また、本体部３５の両方の側面３５ａには、ガイド２３が締結具により取り付けられている。ガイド２３は、ガイド孔３４の内側に設けられている。このガイド２３は、遊技機の傾斜調整時において、スライダ１２をベース１１に対して相対的に移動させる際にスライダ１２を案内するとともに、目盛り５７を使ってスライダ１２の移動量を確認するために使用される。
【００１８】
図３〜図５に示すように、プレート１３の一方の面１３ａには、上方部にスライダ１２が取り付けられ下方部にストッパ１４が取り付けられており、スライダ１２とストッパ１４が上下方向に離間して取り付けられている。なお、このスライダ１２とストッパ１４の離間距離を利用して、スライダ１２とストッパ１４の間にて島１０１の水平材１１２が挟み込まれるようにして配置される。また、プレート１３の他方の面１３ｂには、ラチェット機構１７が取り付けられている。また、図６に示すように、プレート１３の貫通孔１３ｃには、調整ネジ２２がカラー２４（中空の筒状部品）を介して挿入されている。また、プレート１３の下方には中央に切り欠き部１３ｄが設けられておりその切り欠き部１３ｄの左右に延設された部位に、ストッパ１４をプレート１３に固着する際に使用する開口部１３ｅがそれぞれ設けられている。
【００１９】
図６に示すように、ストッパ１４は、本体部３７と一対のストッパ鍔部３８などを備えている。本体部３７は、上下方向及び後方向に開口するようにしてコの字状断面に形成されている。一対のストッパ鍔部３８は、それぞれ本体部３７の両方の側面３７ａの後側端縁から外側へ水平方向に折り曲げて形成されている。このようなストッパ１４は、この一対のストッパ鍔部３８にて、このストッパ鍔部３８に設けられた開口部３８ａに挿入された締結具により、図３〜図５に示すようにプレート１３の一方の面１３ａ側に取り付けられている。
【００２０】
そして、図３〜図５に示すように、ストッパ１４は、その先端面に設けられたストッパゴム４０にて、枠部２０１の上部２１１の背部２２１に接している。これにより、ストッパ１４と枠部２０１との間にて弾性を確保しながら摩擦力を発生させて、ストッパ１４により枠部２０１を強く支持することができる。ストッパゴム４０の素材としては、適度な弾性力と摩擦力を有するものであればよいが、ゴムやエラストマーなどの採用が好適である。なお、ストッパ１４は、その先端面にて、ストッパゴム４０が設けられる代わりに凹凸形状の加工が施されていてもよい。また、ストッパゴム４０に凹凸形状の加工が施されていてもよい。
【００２１】
ピン１５は、図６に示すように円柱状に形成されており、図３〜図５に示すようにストッパ１４の内部に設けられている。詳しくは、ピン１５は、ストッパ１４における本体部３７の内側にて、本体部３７の両方の側面３７ａを貫通して設けられている。そして、ピン１５の一端部１５ａはスナップピン４１を用いてストッパ１４に止められ、ピン１５の他端部１５ｂは止め輪４２を用いてストッパ１４に止められている。このように、ピン１５の一端部１５ａはスナップピン４１を用いてストッパ１４に止められているので、スナップピン４１を脱着するにより、容易にストッパ１４にピン１５を脱着できる。
【００２２】
このようなピン１５は、ベルト１６の一端部１６ａを保持している。詳しくは、図５に示すように、ベルト１６の一端部１６ａには、ベルト１６を折り返して作られたループ（輪形状部）が形成され、このループの内部にピン１５が挿入されている。なお、ベルト１６の他端部１６ｂにも、ベルト１６を折り返して作られたループ（輪形状部）が形成され、このループの内部にＴ字部材４９が挿入されている（図３参照）。
【００２３】
図３〜図５に示すように、ベルト１６は、枠部２０１の上部２１１に巻き付けられている。このベルト１６は、島１０１と枠部２０１の間の僅かな隙間に入ることができるように薄く形成され、枠部２０１の外周を覆うことができる程度に柔軟性と耐久性を有していればよく、布や樹脂や金属などで形成されている。ここでは、ベルト１６として、例えばアラミド繊維の不織布を使用する。そして、前記のように、ベルト１６の一端部１６ａはピン１５に保持されており、ベルト１６の他端部１６ｂはラチェット機構１７に保持されている。なお、このアラミド繊維は、耐久性に優れ防護衣料などにも採用されるものである。本実施形態のベルトは厚さ約０．２ｍｍ、横幅約１．８ｍｍとなるが、その耐荷重性能は１本で２００ｋｇを支えることができ、たとえカッターやナイフ等の刃物で切断しようとしても容易に切断できるものではない。なお、現在市場に流通している遊技機において最も重量があるものは６０ｋｇと言われているが、本実施形態のベルト１６であれば十分に余裕をもった強度で固定することが可能である。
【００２４】
図２〜図５に示すように、ラチェット機構１７は、プレート取付け部４３とハンドル部４４と軸部４５などを備えている。プレート取付け部４３は、プレート１３の他方の面１３ｂに締結具により取り付けられている。ハンドル部４４は、軸部４５を介してプレート取付け部４３に取り付けられており、軸部４５を中心にしてプレート取付け部４３に対して相対的に回転可能である。
【００２５】
このようなラチェット機構１７は、ベルト１６の他端部１６ｂを保持することで、枠部２０１を遊技機の後方側に引き付け可能に構成されている。具体的には、ラチェット機構１７は、ハンドル部４４をプレート取付け部４３に対して相対的に回転させると、軸部４５に保持されるベルト１６が軸部４５に巻かれるので、枠部２０１を遊技機の後方側に引き付けることができる。なお、プレート１３に取り付けられるラチェット機構１７は、図５に示すように、ラチェット機構１７の軸部４５が、ストッパ１４の内部に設けられているピン１５（保持部）よりも上方に位置するように配置されている。また、枠部２０１に巻き付けたベルト１６は、プレート１３に設けられた切り欠き部１３ｄを通り、ラチェット機構１７の軸部４５に巻き取られる。
【００２６】
本実施形態では、Ｔ字部材４９を使用して、軸部４５にベルト１６の他端部１６ｂを取り付けている。具体的には、図３に示すようにベルト１６の他端部１６ｂに形成されたループの内部にＴ字部材４９を挿入し、図５に示すようにＴ字部材４９を軸部４５の穴の内部に取り付けることにより、軸部４５にベルト１６の他端部１６ｂが取り付けられている。
【００２７】
図６に示すように、ナットベース２１は、Ｌ字形状部５１と、ナット部５２を備えている。そして、Ｌ字形状部５１は、その底面部５１ａにて、締結具によりベース１１の第１ベース鍔部３２に取り付けられている（図２や図３参照）。また、ナット部５２は、その内側にネジ部を備えており、Ｌ字形状部５１の立設部５１ｂに溶接されている。
【００２８】
図６に示すように、調整ネジ２２は、ネジ部５３と操作部５４と基端部５５を備えている。ネジ部５３は、カラー２４を介してプレート１３の貫通孔１３ｃに挿入されており、さらに、ナットベース２１のＬ字形状部５１の立設部５１ｂを貫通して、ナットベース２１のナット部５２に螺合している（図２や図３参照）。基端部５５は、その外形が円錐状に形成されている。また、調整ネジ２２の操作部５４とプレート１３との間には、バネ５６が配置されている。
【００２９】
そして、このような調整ネジ２２を、操作部５４に把持させた工具（例えばラチェットレンチ、図２参照）を用いて回転させることにより、プレート１３を調整ネジ２２の軸方向に移動させることができる。そして、これにより、プレート１３に取り付けられたスライダ１２とストッパ１４を調整ネジ２２の軸方向に移動させることができるので、枠部２０１を島１０１の水平材１１２に対して相対的に前後方向に移動させることができる。
【００３０】
また、工具を操作部５４に把持させる際には、工具は基端部５５の先細り形状にて案内されるので、工具の取り付けが容易になる。また、ナットベース２１と調整ネジ２２との間にバネ５６の付勢力が加わっているので、調整ネジ２２のネジ部５３とナットベース２１のナット部５２との間の螺合状態が安定する。そのため、調整ネジ２２を回転させてナットベース２１に対して調整ネジ２２を移動させることにより、プレート１３とストッパ１４を介して枠部２０１を安定して前後方向に移動させることができる。
【００３１】
次に、下クランプ２について説明する。図７と図８に示すように、下クランプ２は、枠押さえベース６１（第２島側固定部）と、ブラインドナット６２と、枠押さえボルト６３（上下方向押圧部材）と、下部ストッパボルト６４（前後方向押圧部材）などを有する。
【００３２】
枠押さえベース６１は、本体部７１と枠押さえベース鍔部７２を備えている。そして、枠押さえベース６１は、枠押さえベース鍔部７２に設けられた開口部７２ａを介して、島１０１のテーブル１１１に締結具により固定されている。枠押さえベース６１は、側面方向から見たときにＬの字形状に形成されている。枠押さえボルト６３と下部ストッパボルト６４は、それぞれブラインドナット６２を介して枠押さえベース６１の本体部７１に取り付けられている。
【００３３】
以上のような構成の上クランプ１と下クランプ２を有する遊技機の取付け装置を用いて、枠部２０１を島１０１に取り付ける際には、まず、枠部２０１を島１０１のテーブル１１１と水平材１１２との間に配置する。このとき、枠部２０１の下部２１２と島１０１のテーブル１１１との間には、敷きシート１２１を配置しておく。
【００３４】
そして、上クランプ１と下クランプ２により、島１０１に枠部２０１を取り付ける。具体的には、上クランプ１について、ベース１１（スライダ１２）とストッパ１４との間の離間部に島１０１の水平材１１２を挿入しながら、ストッパ１４に設けられたストッパゴム４０を枠部２０１の上部２１１の背部２２１に当てる。次に、ベース１１を島１０１の水平材１１２に固定し、ベルト１６を枠部２０１に巻き付けてベルト１６の他端部１６ｂをラチェット機構１７に保持させる。次に、ラチェット機構１７を操作して、枠部２０１に巻き付けたベルト１６を締め上げて、枠部２０１を後方側に引き付ける。そして、このようにして、上クランプ１により島１０１に枠部２０１を取り付ける。
【００３５】
また、下クランプ２について、枠押さえベース６１を島１０１のテーブル１１１に固定し、枠押さえボルト６３と下部ストッパボルト６４により枠部２０１の下部２１２の背部２２２を押圧する。そして、このようにして、下クランプ２により島１０１に枠部２０１を取り付ける。
【００３６】
なお、上クランプ１により島１０１に枠部２０１を取り付ける操作と、下クランプ２により島１０１に枠部２０１を取り付ける操作は、同時であっても、どちらが先であってもよい。
【００３７】
また、本実施形態では、上クランプ１は、枠部２０１の傾斜を調整する枠部傾斜調整機構を有しており、枠部２０１の前後方向の位置を調整して枠部２０１の傾斜を調整することにより、遊技機の傾斜を調整できる。
【００３８】
具体的には、図３と図４に示す調整ネジ２２を回してベース１１に対して相対的にスライダ１２を前方向に移動させると、スライダ１２と一体のストッパ１４が前方向に移動するので、ストッパ１４が接する枠部２０１はストッパ１４に押されて前方向に移動する。そのため、枠部２０１の上部２１１は前方向に移動する。一方、調整ネジ２２を回してベース１１に対して相対的にスライダ１２を後方向に移動させると、スライダ１２と一体のストッパ１４が後方向に移動するので、枠部２０１はベルト１６に引っ張られて後方向に移動する。そのため、枠部２０１の上部２１１は後方向に移動する。このようにして、枠部２０１の傾斜を調整する枠部傾斜調整機構を有することにより、遊技機の傾斜を調整できる。また、この枠部傾斜調整機構は、枠部２０１の上部２１１の奥行を考慮した位置調整にも役立てることができる。例えばＡ社の枠部２０１の上部２１１は奥行が４０ｍｍであるが、Ｂ社の枠部２０１の上部２１１の奥行は７０ｍｍというように、遊技機メーカーによって奥行が異なる。そのような場合であっても、前後方向の位置を調整することで適切な設置位置に遊技機を固定することができる。また、そもそも遊技機を取付ける島１０１自体が水平であるとは限らない。そこで遊技機の設置後であっても、遊技機の前枠と内枠を開放状態とし、外枠の内側からこの枠部傾斜調整機能を操作することで、遊技機の前後方向の設置位置を微調整することで遊技機を適切な設置角度に調整することができるという本機能は作業性の向上という観点で大きなメリットを有する。
【００３９】
また、本実施形態では、下クランプ２は、枠部２０１の傾斜を調整する枠部傾斜調整機構を有しており、枠部２０１の前後方向の位置を調整して枠部２０１の傾斜を調整することにより、遊技機の傾斜を調整できる。
【００４０】
具体的には、図７と図８に示す枠部２０１の下部２１２を上下方向に押圧する枠押さえボルト６３を緩めることで枠部２０１を前後方向に移動可能な状態とし、下部ストッパボルト６４を回転させることで枠部２０１の前後の位置を調整する。
【００４１】
以上のように本実施形態の上クランプ１は、島１０１の水平材１１２に固定されるベース１１と、枠部２０１に巻き付けられるベルト１６と、ベルト１６の一端部１６ａを保持可能なピン１５と、ベルト１６の他端部１６ｂを保持することで枠部２０１を遊技機の後方側に引き付け可能に構成されるラチェット機構１７と、を有する。
【００４２】
このようにして、本実施形態では、ラチェット機構１７によりベルト１６を締め上げて枠部２０１を遊技機の後方側に引き付けた状態でベルト１６の他端部１６ｂを保持することができる。そのため、枠部２０１を遊技機の後方側に引き付けた状態で島１０１の水平材１１２に取り付けることができるので、遊技機が前方にずれないようにしながら遊技機を島１０１に設置できる。また、遊技機の固定に際して釘を用いることがないため、遊技機側の木製部に釘穴を開ける必要がないため、当該木製部の消耗が生じることがない。
【００４３】
また、本実施形態では、島１０１のテーブル１１１と枠部２０１の下部２１２の間に敷きシート１２１を挟んで上下方向について島１０１と枠部２０１の間のクリアランスを小さくしながら、上クランプ１により枠部２０１を島１０１に取り付けているので、安定して遊技機を島１０１に設置できる。
【００４４】
また、ベルト１６を枠部２０１に巻き付けることにより枠部２０１を島１０１に取り付けるので、枠部２０１に木製部を備えていなくても、すなわち、枠部２０１の材質に関わらず、枠部２０１を島１０１に取り付けることができる。また、枠部２０１の形状や大きさに関わらず、枠部２０１を遊技機島１０１に取り付けることができる。
【００４５】
また、枠部２０１に巻き付けたベルト１６の締め上げ力により枠部２０１を後方側に引き付けているので、特許文献２の装置のように枠部２０１の上方からの押圧力で枠部２０１を抑えつける構造とはなっていない。そのため、枠部２０１からの反力により島１０１の水平材１１２又は島１０１の他の部材に歪みが生じさせることがないという大きなメリットを有している。
【００４６】
また、本実施形態の上クランプ１は、ベース１１と嵌合するスライダ１２と、枠部２０１の上部２１１の背部２２１に接するストッパ１４と、スライダ１２とストッパ１４とが取り付けられるプレート１３と、を有する。
【００４７】
このように、ストッパ１４が枠部２０１の背部２２１に接しているので、ベルト１６を巻き付けた枠部２０１をストッパ１４により支持することができる。すなわち、枠部２０１の上部２１１の前面をベルト１６により後方向へ引き付ける一方で、ストッパ１４が枠部２０１の上部２１１の背部２２１を押圧するので、枠部２０１の上部２１１は前後から押圧される。そのため、枠部２０１を島１０１の水平材１１２に強固に取り付けて、遊技機を島１０１に強固に設置できる。また、ストッパ１４の先端に設けられたストッパゴム４０の摩擦力により、遊技機の設置の際のブレを抑制することができるため、ベルト１６の締め上げ時の作業性が向上する。
【００４８】
また、本実施形態の上クランプ１は、ピン１５がストッパ１４に設けられている。
【００４９】
これにより、ラチェット機構１７によりベルト１６を締め上げたときに、ベルト１６の締め上げ力を枠部２０１に対して後方に作用させることができる。そのため、より効果的に、枠部２０１を後方側に引き付けた状態で島１０１の水平材１１２に取り付けることができる。したがって、より効果的に、遊技機が前方にずれないようにして遊技機を島１０１に設置できる。
【００５０】
また、本実施形態の上クランプ１は、枠部２０１の傾斜を調整する枠部傾斜調整機構を有する。これにより、遊技機を島１０１に設置する時または設置した後に、枠部２０１の傾斜を調整することにより、遊技機の傾斜を調整できる。ここで、枠部傾斜調整機構は、スライダ１２とプレート１３とストッパ１４とピン１５とベルト１６とナットベース２１と調整ネジ２２から構成されている。
【００５１】
また、本実施形態では、ベース１１にスライダ１２を嵌合させているので、ベース１１に対してスライダ１２を相対的に移動させることができる。そのため、ベース１１に対してスライダ１２を相対的に移動させることにより、プレート１３とストッパ１４とを介して枠部２０１を前後方向に移動させて、枠部２０１の傾斜を調整して遊技機の傾斜を調整できる。また、前述の通り、本実施形態においては、ベルト１６の締め上げ力を用いて遊技機を島１０１に固定している。そのため、枠部２０１からの反力により島１０１の水平材１１２又は島１０１の他の部材に歪みが生じさせることがない、そのため適切な設置位置及び適切な角度にて島１０１に遊技機を設置することができる。
【００５２】
また、本実施形態の遊技機の取付け装置は、上クランプ１とともに、下クランプ２を有する。そして、この下クランプ２は、島１０１のテーブル１１１に固定される枠押さえベース６１と、枠部２０１を上下方向に押圧する枠押さえボルト６３と、枠部２０１を当該枠部２０１の前後方向に押圧する下部ストッパボルト６４と、を備えている。そして、この下クランプ２における下部ストッパボルト６４の前後方向への位置を調整することで、枠部２０１の下部２１２の位置調整を行うことができる。
【００５３】
このようにして、上クランプ１と下クランプ２により、枠部２０１の上部２１１と下部２１２を島１０１に取り付けることができる。そのため、島１０１に対して枠部２０１を強固に取り付けることができる。また、設置の際に上クランプ１及び下クランプ２のそれぞれの細かな位置調整を行うことにより、遊技機を島１０１に適切に設置することができる。尚、上クランプ１のみに位置調整機能を設けることで遊技機の傾斜を調整することも可能であるが、下クランプ２にも位置調整機能を設けることでより正確な位置調整を行うことができる。
【００５４】
〔第２実施形態〕
次に、第２実施形態の遊技機の取付け装置について説明するが、第１実施形態の遊技機の取付け装置と同等の構成要素については、同一の符号を付して説明を省略し、異なった点を中心に述べる。
【００５５】
本実施形態の上クランプ１Ａは、島１０１の水平材１１２に固定された状態で、遊技機の左右方向についてベルト１６を枠部２０１の上部２１１に巻き付ける位置を調整できる。そこで、本実施形態の上クランプ１Ａについて詳細に説明する。
【００５６】
本実施形態の上クランプ１Ａは、島１０１の水平材１１２に固定される部分（第１島側固定部）として、図９〜図１１に示すように、固定ベース８１（固定部材）と可動ベース８２（可動部材）とを備えている。
【００５７】
固定ベース８１は、図１０に示すように、島１０１の水平材１１２に固定される部材である。この固定ベース８１は、図１１に示すように、長方形の板状に形成され、溝９１と座金９２と開口部９３などを備えている。
【００５８】
溝９１は、固定ベース８１の長手方向に沿って、細長状に形成されている。ここでは、一例として、溝９１は３つ形成されているが、溝９１が形成される数は特に限定されない。また、ここでは一例として、溝９１は固定ベース８１の板厚方向（図９〜図１１の上下方向）について固定ベース８１を貫通して形成されているが、溝９１は固定ベース８１の板厚方向に貫通していなくてもよい。
【００５９】
座金９２は、正方形または長方形の板状に形成されており、１つの溝９１につき２つ設けられている。この座金９２は、溝９１の内部において、溝９１を形成する内壁面９１ａに嵌合して設けられており、溝９１に対して固定ベース８１の長手方向に沿って相対的に移動可能となっている。なお、固定ベース８１の長手方向は、固定ベース８１が島１０１の水平材１１２に固定されたときに遊技機の左右方向となる。そして、座金９２は、固定ベース８１に可動ベース８２を取り付けるために使用する締結具が締結されるネジ穴９２ａを備えている。なお、図１１においては、説明の便宜上、ネジ穴９２ａに締結される締結具を２つのみ示している。
【００６０】
開口部９３は、固定ベース８１の板厚方向について固定ベース８１を貫通する孔であって、固定ベース８１を島１０１の水平材１１２に固定するために使用する締結具が挿入される孔である。ここでは、一例として、開口部９３は６つ形成されているが、開口部９３が形成される数は特に限定されない。なお、図１１においては、説明の便宜上、開口部９３に挿入される締結具を１つのみ示している。
【００６１】
可動ベース８２は、図１１に示すように、第１実施形態のベース１１（図６参照）と同様な形状に形成されている。この可動ベース８２は、その第１ベース鍔部３２に設けられた開口部３２ａと第２ベース鍔部３３に設けられた開口部３３ａに挿入された締結具が固定ベース８１の座金９２のネジ穴９２ａに締結されることにより、固定ベース８１に取りけられている（図９と図１０参照）。
【００６２】
本実施形態では、前記のように、座金９２は、溝９１に対して溝９１に沿って相対的に移動可能である。そのため、締結具により座金９２に締結された可動ベース８２は、溝９１に沿って固定ベース８１に対して相対的に移動可能である。そして、可動ベース８２は、図９や図１０に示すように、スライダ１２とプレート１３とストッパ１４とベルト１６と一体になっている。そのため、可動ベース８２は、スライダ１２とプレート１３とストッパ１４とベルト１６と一体に移動する。
【００６３】
なお、本実施形態では、図９と図１０に示すように、スライダ１２は、可動ベース８２の内側にて可動ベース８２と嵌合している。また、スライダ１２のガイド２３は、遊技機の傾斜調整時において、スライダ１２を可動ベース８２に対して相対的に移動させる際にスライダ１２を案内するとともに、目盛り５７を使ってスライダ１２の移動量を確認するために使用される。さらに、ナットベース２１のＬ字形状部５１は、その底面部５１ａにて、締結具により可動ベース８２の第１ベース鍔部３２に取り付けられている。
【００６４】
以上のような構成の上クランプ１Ａを用いて、枠部２０１を島１０１に取り付ける際には、まず、固定ベース８１を島１０１の水平材１１２に固定する。詳しくは、固定ベース８１の長手方向が遊技機の左右方向となるように、固定ベース８１を島１０１の水平材１１２に固定する。このとき、締結具を固定ベース８１の開口部９３に挿入して島１０１の水平材１１２に締結する。
【００６５】
次に、可動ベース８２（スライダ１２）とストッパ１４との間の離間部に島１０１の水平材１１２と固定ベース８１を挿入して、可動ベース８２を固定ベース８１に取り付ける。このとき、締結具を可動ベース８２の開口部３２ａと開口部３３ａに挿入して固定ベース８１の座金９２のネジ穴９２ａに締結する。
【００６６】
なお、固定ベース８１に可動ベース８２を取り付けるタイミングは特に限定されず、例えば、予め可動ベース８２を取り付けておいた固定ベース８１を島１０１の水平材１１２に固定するとしてもよい。
【００６７】
ここで、本実施形態では、固定ベース８１に取り付けた可動ベース８２を、固定ベース８１に対して遊技機の左右方向に相対的に移動させることができる。そのため、可動ベース８２を固定ベース８１に対して遊技機の左右方向に相対的に移動させることにより、可動ベース８２と一体のベルト１６を遊技機の左右方向に移動させることができる。したがって、ベルト１６を、遊技機の左右方向について、枠部２０１の上部２１１における所望の位置に移動させることができる。
【００６８】
そして、このようにベルト１６を遊技機の左右方向について枠部２０１の上部２１１における所望の位置に移動させた後、ストッパ１４に設けられたストッパゴム４０を枠部２０１の上部２１１の背部２２１に当てて、ベルト１６を枠部２０１に巻き付けてベルト１６の他端部１６ｂをラチェット機構１７に保持させる。次に、ラチェット機構１７を操作して、枠部２０１に巻き付けたベルト１６を締め上げて、枠部２０１を後方側に引き付ける。そして、このようにして、上クランプ１Ａにより島１０１に枠部２０１を取り付ける。
【００６９】
なお、本実施形態では、上クランプ１Ａは、第１実施形態の上クランプ１と同様に、枠部２０１の傾斜を調整する枠部傾斜調整機構を有しており、枠部２０１の前後方向の位置を調整して枠部２０１の傾斜を調整することにより、遊技機の傾斜を調整できる。具体的には、図９と図１０に示す調整ネジ２２を回して可動ベース８２に対して相対的にスライダ１２を前方向に移動させると、スライダ１２と一体のストッパ１４が前方向に移動するので、ストッパ１４が接する枠部２０１はストッパ１４に押されて前方向に移動する。
【００７０】
なお、本実施形態の変形例として、上クランプ１Ａは、枠部２０１の傾斜を調整する枠部傾斜調整機構を有していない例も考えられる。
【００７１】
以上のように、本実施形態では、島１０１の水平材１１２に固定される第１島側固定部として、固定ベース８１と可動ベース８２とを備えている。そして、固定ベース８１は、島１０１の水平材１１２に固定される部材である。また、可動ベース８２は、固定ベース８１に取り付けられ、固定ベース８１に対して遊技機の左右方向に相対的に移動可能な部材である。そして、可動ベース８２は、ベルト１６と一体に移動する。
【００７２】
このようにして本実施形態では、固定ベース８１を島１０１の水平材１１２に固定した状態で、可動ベース８２を固定ベース８１に対して遊技機の左右方向に相対的に移動させることができる。そのため、可動ベース８２と一体に移動するベルト１６を遊技機の左右方向に移動させて、ベルト１６を枠部２０１の上部２１１に巻き付ける位置を調整できる。
【００７３】
そして、このようにして本実施形態の上クランプ１Ａは、ベルト１６を枠部２０１の上部２１１に巻き付ける位置を調整できるので、枠部２０１の上部２１１の形状（遊技機メーカー毎に枠部２０１の形状が異なる。）に関わらず、ベルト１６を枠部２０１の上部２１１における所望の位置で巻き付けることができる。例えば、枠部２０１の上部２１１における左右方向の中央部において、背部２２１が前方に凹んだ形状に形成されている場合がある。この場合、ベルト１６を枠部２０１の上部２１１に巻き付ける位置を調整することにより、背部２２１が前方に凹んで形成される位置を避けてベルト１６を枠部２０１の上部２１１に巻き付けることができる。そして、これにより、ベルト１６を枠部２０１の上部２１１に巻き付けてベルト１６の他端部１６ｂをラチェット機構１７に保持させてラチェット機構１７を操作したときに、枠部２０１に巻き付けたベルト１６を確実に締め上げることができる。
【００７４】
また、枠部２０１の上部２１１においてベルト１６を巻き付ける位置に制約がある場合であっても、ベルト１６を枠部２０１の上部２１１に巻き付ける位置を調整して、ベルト１６を枠部２０１の上部２１１における所望の位置で巻き付けることができる。ここで、枠部２０１の上部２１１においてベルト１６を巻き付ける位置に制約がある場合とは、例えば、枠部２０１の上部２１１に凹凸がありこの凹凸部分ではベルト１６の巻き付けが安定しない場合、又は、枠部２０１の上部２１１に大きな切り欠き部などがありこの切り欠き部ではストッパゴム４０（ストッパ１４の先端部）との当接が困難な場合などが考えられる。
【００７５】
また、島１０１の水平材１１２において固定ベース８１を固定できる位置に制約がある場合であっても、ベルト１６を枠部２０１の上部２１１に巻き付ける位置を調整して、ベルト１６を枠部２０１の上部２１１における所望の位置で巻き付けることができる。ここで、島１０１の水平材１１２において固定ベース８１を固定できる位置に制約がある場合とは、例えば、島１０１の水平材１１２に凹凸がありこの凹凸部分では固定ベース８１の固定が安定しない場合、又は、島１０１の水平材１１２に大きな切り欠き部などがありこの切り欠き部では固定ベース８１の固定が困難な場合などが考えられる。
【００７６】
また、本実施形態の上クランプ１Ａは、島１０１の水平材１１２に固定ベース８１を一旦固定しておけば、ベルト１６を枠部２０１の上部２１１に巻き付ける位置を調整する際に、固定ベース８１を島１０１の水平材１１２から取り外す必要がない。そのため、固定ベース８１を島１０１の水平材１１２から一旦取り外して再度固定する手間を省くことができるとともに、島１０１の水平材１１２において固定ベース８１を固定するための締結具の締結跡の発生を抑制できる。
【００７７】
（遠隔操作ユニットの説明）
次に、本開示の遊技機の取付け装置用の遠隔操作ユニットの実施形態の一例として、遠隔操作ユニット３０１について説明する。図１２に示すように、ここでは、遊技機の取付け装置として上クランプ１Ａが設けられており、この上クランプ１Ａとして、第１の上クランプ１Ａ−１と第２の上クランプ１Ａ−２とが設けられている。なお、図１２に示す例では、第１の上クランプ１Ａ−１が遊技機の前側から見て左側に設けられており、第２の上クランプ１Ａ−２が遊技機の前側から見て右側に設けられている。また、図１２に示す例では、遊技機の取付け装置として上クランプ１Ａを示しているが、上クランプ１が設けられているとしてもよい。
【００７８】
図１２と図１３に示すように、本実施形態の遠隔操作ユニット３０１は、第１動作部３１１−１と、第２動作部３１１−２と、動力伝達部３１２と、操作部３１３を有する。
【００７９】
（動作部の説明）
第１動作部３１１−１は、第１の上クランプ１Ａ−１に備わる軸状の調整ネジ２２（「調節軸」の一例）に接続されている。この第１動作部３１１−１は、動力伝達部３１２の第１動力伝達部材３３１から動力が伝達されることにより、第１の上クランプ１Ａ−１の調整ネジ２２を当該調整ネジ２２の中心軸を中心に回転動作させる。
【００８０】
第２動作部３１１−２は、第２の上クランプ１Ａ−２に備わる軸状の調整ネジ２２（「調節軸」の一例）に接続されている。この第２動作部３１１−２は、動力伝達部３１２の第２動力伝達部材３３２から動力が伝達されることにより、第２の上クランプ１Ａ−２の調整ネジ２２を当該調整ネジ２２の中心軸を中心に回転動作させる。
【００８１】
図１４と図１５に示すように、第１動作部３１１−１と第２動作部３１１−２は、各々、接続部３２１（「動力伝達部側接続部」の一例）と、第１ギヤ３２２（第１歯車）と、第２ギヤ３２３（第２歯車）と、第３ギヤ３２４（第３歯車）と、第４ギヤ３２５（第４歯車）と、第５ギヤ３２６（第５歯車）を備えている。なお、第１ギヤ３２２と第２ギヤ３２３と第３ギヤ３２４と第４ギヤ３２５と第５ギヤ３２６は、いずれも環状に形成されている。また、図１４は、カバー３２９を外したときの第１動作部３１１−１（第２動作部３１１−２）の分解斜視図である。
【００８２】
接続部３２１は、動力伝達部３１２に接続する部分である。詳しくは、図１３〜図１５に示すように、接続部３２１は、動力伝達部３１２の第１動力伝達部材３３１または第２動力伝達部材３３２が挿入されて接続される挿入孔３２１ａを備えている。また、図１５に示すように、接続部３２１には、締結部材３２７（例えば、ボルト）により、第１ギヤ３２２が締結されている。そして、接続部３２１は、第１ギヤ３２２の中心軸を中心に、第１ギヤ３２２と一体に回転可能になっている。
【００８３】
図１５に示すように、第１ギヤ３２２は、第２ギヤ３２３と噛み合っている。そのため、第１ギヤ３２２が回転すると、第２ギヤ３２３も当該第２ギヤ３２３の中心軸を中心に回転する。また、第２ギヤ３２３には、締結部材３２８（例えば、ボルト）により、第３ギヤ３２４が締結されている。そのため、第２ギヤ３２３が回転すると、第３ギヤ３２４も当該第３ギヤ３２４の中心軸を中心に回転する。また、図１４と図１５に示すように、第３ギヤ３２４は第４ギヤ３２５と噛み合い、第４ギヤ３２５は第５ギヤ３２６と噛み合っている。そのため、第３ギヤ３２４が回転すると、第４ギヤ３２５も当該第４ギヤ３２５の中心軸を中心に回転し、第５ギヤ３２６も当該第５ギヤ３２６の中心軸を中心に回転する。
【００８４】
このような構成の第１動作部３１１−１と第２動作部３１１−２においては、接続部３２１が回転して第１ギヤ３２２が回転すると、第２ギヤ３２３と第３ギヤ３２４と第４ギヤ３２５が回転して、第５ギヤ３２６も回転する。
【００８５】
第５ギヤ３２６の内周面３２６ａは、第１の上クランプ１Ａ−１または第２の上クランプ１Ａ−２の調整ネジ２２が接続可能に形成されている。すなわち、第５ギヤ３２６は、調整ネジ２２に接続する調節ネジ側接続部（「調節軸側接続部」の一例）である。
【００８６】
このようにして、第１動作部３１１−１と第２動作部３１１−２は、接続部３２１と第５ギヤ３２６との間で調整ネジ回転動力（「調節軸回転動力」の一例）を伝達する歯車機構として、第１ギヤ３２２と第２ギヤ３２３と第３ギヤ３２４と第４ギヤ３２５を備えている。ここで、「調整ネジ回転動力」とは、第１の上クランプ１Ａ−１に備わる調整ネジ２２や第２の上クランプ１Ａ−２に備わる調整ネジ２２を、当該調整ネジ２２の中心軸を中心に回転動作させるための動力である。
【００８７】
（動力伝達部の説明）
図１２と図１３に示すように、動力伝達部３１２は、第１動力伝達部材３３１と第２動力伝達部材３３２と支持部材３３３を備えている。第１動力伝達部材３３１は、第１動作部３１１−１の接続部３２１に接続し、第１動作部３１１−１に対して調節ネジ回転動力を伝達する。第２動力伝達部材３３２は、第２動作部３１１−２の接続部３２１に接続し、第２動作部３１１−２に対して調節ネジ回転動力を伝達する。
【００８８】
第１動力伝達部材３３１と第２動力伝達部材３３２は、各々、動作部側端部３４１と、フレキシブルシャフト３４２と、操作部側端部３４３を備えている。すなわち、フレキシブルシャフト３４２の軸方向の一方の端部に動作部側端部３４１が設けられ、フレキシブルシャフト３４２の軸方向の他方の端部に操作部側端部３４３が設けられている。
【００８９】
図１３に示すように、動作部側端部３４１は、フレキシブルシャフト３４２に接続する側とは反対側の端部に、軸状の差し込み軸部３４１ａを備えている。この差し込み軸部３４１ａは、第１動作部３１１−１または第２動作部３１１−２の接続部３２１の挿入孔３２１ａの内部に差し込まれて接続される部分である。
【００９０】
フレキシブルシャフト３４２は、可撓性を有する部材であり、変形自在である。
【００９１】
図１３に示すように、操作部側端部３４３は、フレキシブルシャフト３４２に接続する側とは反対側の端部に、軸状の差し込み軸部３４３ａを備えている。この差し込み軸部３４３ａは、操作部３１３の接続部３６１の挿入孔３６１ａの内部に差し込まれて接続される部分である。
【００９２】
支持部材３３３は、第１動力伝達部材３３１と第２動力伝達部材３３２を支持する部材である。この支持部材３３３により、フレキシブルシャフト３４２の回転時においてその回転方向に「ヨレ」が生じることを抑制できる。なお、支持部材３３３の材質は、金属または樹脂とする。また、支持部材３３３の長手方向の幅（第１動力伝達部材３３１との接続部と第２動力伝達部材３３２との接続部との間の長さ）について適宜調整可能な仕様としてもよい。
【００９３】
（操作部の説明）
操作部３１３は、動力伝達部３１２の第１動力伝達部材３３１および／または第２動力伝達部材３３２に対して調整ネジ回転動力を付与するための操作を行う。
【００９４】
図１２と図１３と図１６と図１７に示すように、操作部３１３は、ケース３５１と、第１操作機構３５２と、第２操作機構３５３と、タイミングベルト３５４と、カバー３５５を備えている。
【００９５】
ケース３５１は、例えば直方体形状に形成されている。このケース３５１には、カバー３５５が被せられている。
【００９６】
第１操作機構３５２は第１動力伝達部材３３１に接続する機構であり、第２操作機構３５３は第２動力伝達部材３３２に接続する機構である。このような第１操作機構３５２と第２操作機構３５３には、図１６と図１７に示すように、接続部３６１とシャフト３６２とプーリ３６３とシャフトロックリリース板３６４が設けられている。
【００９７】
接続部３６１は、筒状（例えば、円筒状）に形成されており、動力伝達部３１２の第１動力伝達部材３３１（または第２動力伝達部材３３２）における操作部側端部３４３の差し込み軸部３４３ａが挿入される挿入孔３６１ａを備えている。
【００９８】
シャフト３６２は、その軸方向の一方の端部が接続部３６１の挿入孔３６１ａの内部に挿入されている。また、シャフト３６２は、その軸方向の他方の端部がプーリ３６３の挿入孔３６３ａの内部に挿入されて、プーリ３６３と一体になっている。
【００９９】
プーリ３６３は、筒状に形成されており、シャフト３６２が挿入される挿入孔３６３ａを備えている。なお、この挿入孔３６３ａには、後述するように電動ドライバ（不図示）などの電動工具の軸部の先端を差し込むことができる。
【０１００】
シャフトロックリリース板３６４（軸固定解放板）は、後述する動力付与モード切替機構の一部を構成する。図１８〜図２０に示すように、シャフトロックリリース板３６４は、板状に形成されており、接続部３６１に対して相対的に移動可能な状態で接続部３６１に取り付けられている。このシャフトロックリリース板３６４は、凹部３７１を備えている。この凹部３７１は、固定部位３７１ａと解放部位３７１ｂとを備えている。ここで、固定部位３７１ａは、シャフト３６２の幅と同じ幅に形成され、シャフト３６２を嵌め合せて固定させることができる。また、解放部位３７１ｂは、シャフト３６２の幅よりも大きい幅に形成され、シャフト３６２を解放させることができる。
【０１０１】
図１６と図１７に示すように、タイミングベルト３５４は、第１操作機構３５２に設けられるプーリ３６３（「第１プーリ」の一例）と、第２操作機構に設けられるプーリ３６３（「第２プーリ」の一例）とに巻き掛けられている。
【０１０２】
（遠隔操作ユニットの作用）
次に、このような構成の遠隔操作ユニット３０１により、第１の上クランプ１Ａ−１と第２の上クランプ１Ａ−２を遠隔操作して、遊技機の枠部２０１の傾斜を調整する方法について説明する。
【０１０３】
まず、図１３などに示すように、第１動作部３１１−１を第１の上クランプ１Ａ−１の調整ネジ２２に取り付けて、第２動作部３１１−２を第２の上クランプ１Ａ−２の調整ネジ２２に取り付ける。このとき、第１動作部３１１−１や第２動作部３１１−２の第５ギヤ３２６の内周面３２６ａ（図１４と図１５を参照）の内側に調整ネジ２２を挿入して、第５ギヤ３２６を調整ネジ２２に接続させる。
【０１０４】
次に、図１２に示すように、第１動作部３１１−１と第２動作部３１１−２に動力伝達部３１２を取り付ける。具体的には、第１動作部３１１−１の接続部３２１に、動力伝達部３１２の第１動力伝達部材３３１の動作部側端部３４１を接続する。このとき、図１３に示すように、第１動作部３１１−１の接続部３２１の挿入孔３２１ａの内部に、第１動力伝達部材３３１の動作部側端部３４１の差し込み軸部３４１ａを差し込み、第１動作部３１１−１の接続部３２１に第１動力伝達部材３３１の動作部側端部３４１を接続させる。
【０１０５】
また、図１２に示すように、第２動作部３１１−２の接続部３２１に、動力伝達部３１２の第２動力伝達部材３３２の動作部側端部３４１を接続する。このとき、図１３に示すように、第２動作部３１１−２の接続部３２１の挿入孔３２１ａの内部に、第２動力伝達部材３３２の動作部側端部３４１の差し込み軸部３４１ａを差し込み、第２動作部３１１−２の接続部３２１に第２動力伝達部材３３２の動作部側端部３４１を接続させる。
【０１０６】
ここで、動力伝達部３１２には操作部３１３が予め取り付けられている。具体的には、図１２に示すように、動力伝達部３１２の第１動力伝達部材３３１の操作部側端部３４３が、操作部３１３の第１操作機構３５２の接続部３６１に接続されている。詳しくは、図１３に示すように、第１操作機構３５２の接続部３６１の挿入孔３６１ａの内部に、第１動力伝達部材３３１の操作部側端部３４３の差し込み軸部３４３ａが差し込まれており、第１操作機構３５２の接続部３６１に第１動力伝達部材３３１の操作部側端部３４３が接続している。なお、第１操作機構３５２の接続部３６１と第１動力伝達部材３３１の操作部側端部３４３との間に、ゴム３６７を挟んでおく。そして、このゴム３６７により、第１操作機構３５２の接続部３６１と第１動力伝達部材３３１の操作部側端部３４３との間の密着度を高めて、その接続状態を安定させることができる。
【０１０７】
また、図１２に示すように、動力伝達部３１２の第２動力伝達部材３３２の操作部側端部３４３が、操作部３１３の第２操作機構３５３の接続部３６１に接続されている。詳しくは、図１３に示すように、第２操作機構３５３の接続部３６１の挿入孔３６１ａの内部に、第２動力伝達部材３３２の操作部側端部３４３の差し込み軸部３４３ａが差し込まれており、第２操作機構３５３の接続部３６１に第２動力伝達部材３３２の操作部側端部３４３が接続している。なお、第２操作機構３５３の接続部３６１と第２動力伝達部材３３２の操作部側端部３４３との間に、ゴム３６７を挟んでおく。そして、このゴム３６７により、第２操作機構３５３の接続部３６１と第２動力伝達部材３３２の操作部側端部３４３との間の密着度を高めて、その接続状態を安定させることができる。
【０１０８】
このようにして、図１２に示すように、第１動作部３１１−１と第２動作部３１１−２に対して、操作部３１３が予め取り付けられている動力伝達部３１２を取り付けることにより、遠隔操作ユニット３０１の第１の上クランプ１Ａ−１と第２の上クランプ１Ａ−２への取り付けが完了する。
【０１０９】
なお、動力伝達部３１２に操作部３１３が予め取り付けられておらず、第１動作部３１１−１と第２動作部３１１−２に動力伝達部３１２を取り付けた後に、動力伝達部３１２に操作部３１３を取り付けるとしてもよい。
【０１１０】
そして、このようにして、遠隔操作ユニット３０１を第１の上クランプ１Ａ−１と第２の上クランプ１Ａ−２に取り付けた後、操作部３１３の例えば第１操作機構３５２のプーリ３６３の挿入孔３６３ａに電動ドライバなどの電動工具の軸部の先端を差し込み、電動工具の軸部を回転駆動させる。
【０１１１】
これにより、第１操作機構３５２のプーリ３６３を回転させてタイミングベルト３５４を搬送させることにより、第２操作機構３５３のプーリ３６３も回転させる。このとき、タイミングベルト３５４と第１操作機構３５２および第２操作機構３５３のプーリ３６３が噛み合っているので、第１操作機構３５２および第２操作機構３５３におけるプーリ３６３を同じ回転角度、同じ速度で回転させることができる。このようにして、第１操作機構３５２のプーリ３６３を回転させることにより第１動力伝達部材３３１を回転させ、第２操作機構３５３のプーリ３６３を回転させることにより第２動力伝達部材３３２を回転させることができる。そして、これにより、第１動作部３１１−１と第２動作部３１１−２の接続部３２１を回転させる。なお、操作部３１３の第２操作機構３５３のプーリ３６３の挿入孔３６３ａに電動工具の軸部の先端を差し込み、第２操作機構３５３のプーリ３６３を回転させてタイミングベルト３５４を搬送させることにより、第１操作機構３５２のプーリ３６３を回転させてもよい。
【０１１２】
そして、このようにして接続部３２１を回転させることにより、第１動作部３１１−１の第５ギヤ３２６に接続する第１の上クランプ１Ａ−１の調整ネジ２２を回転させる一方で、第２動作部３１１−２の第５ギヤ３２６に接続する第２の上クランプ１Ａ−２の調整ネジ２２を回転させる。これにより、第１の上クランプ１Ａ−１の調整ネジ２２と第２の上クランプ１Ａ−２の調整ネジ２２を回転させて、遊技機の枠部２０１の傾斜を調整する。
【０１１３】
また、本実施形態では、操作部３１３は、両側動力付与モードと、片側動力付与モードとに切り替え可能な動力付与モード切替機構を備えている。ここで、両側動力付与モードは、第１動力伝達部材３３１と第２動力伝達部材３３２の両方に対して調整ネジ回転動力を付与するモードである。また、片側動力付与モードは、第１動力伝達部材３３１または第２動力伝達部材３３２のいずれか一方に対してのみ調整ネジ回転動力を付与するモードである。
【０１１４】
すなわち、動力付与モード切替機構の一部を構成するシャフトロックリリース板３６４を操作して、第１操作機構３５２と第２操作機構３５３の両方において、シャフト３６２を固定部位３７１ａにて嵌め合せて固定させる（図１９参照）ことにより、両側動力付与モードに設定することができる。そして、これにより、第１の上クランプ１Ａ−１の調整ネジ２２と第２の上クランプ１Ａ−２の調整ネジ２２の両方を回転させて、遊技機の枠部２０１の傾斜を調整することができる。
【０１１５】
また、シャフトロックリリース板３６４を操作して、第１操作機構３５２においてシャフト３６２を固定部位３７１ａにて嵌め合せて固定させる（図１９参照）一方で、第２操作機構３５３においてシャフト３６２を解放部位３７１ｂにて解放させる（図２０参照）。すると、これにより、第１動力伝達部材３３１に対してのみ調整ネジ回転動力を付与する片側動力付与モードに設定することができる。そのため、第１の上クランプ１Ａ−１の調整ネジ２２のみを回転させて、遊技機の枠部２０１の傾斜を調整することができる。
【０１１６】
また、シャフトロックリリース板３６４を操作して、第１操作機構３５２においてシャフト３６２を解放部位３７１ｂにて解放させる（図２０参照）一方で、第２操作機構３５３においてシャフト３６２を固定部位３７１ａにて嵌め合せて固定させる（図１９参照）。すると、これにより、第２動力伝達部材３３２に対してのみ調整ネジ回転動力を付与する片側動力付与モードに設定することができる。そのため、第２の上クランプ１Ａ−２の調整ネジ２２のみを回転させて、遊技機の枠部２０１の傾斜を調整することができる。
【０１１７】
なお、操作部側端部３４３と接続部３６１は着脱自在である。そのため、第１動力伝達部材３３１または第２動力伝達部材３３２の一方の操作部側端部３４３を接続部３６１から取り外すことによっても、第１動力伝達部材３３１または第２動力伝達部材３３２の一方に対してのみ調整ネジ回転動力を付与することができる。
【０１１８】
（本実施形態の効果）
以上のように本実施形態では、遠隔操作ユニット３０１において、第１動作部３１１−１と、第２動作部３１１−２と、動力伝達部３１２と、操作部３１３と、を有する。ここで、第１動作部３１１−１は、第１の上クランプ１Ａ−１に備わる調整ネジ２２に接続し、調整ネジ２２を当該調整ネジ２２の中心軸を中心に回転動作させる。また、第２動作部３１１−２は、第２の上クランプ１Ａ−２に備わる調整ネジ２２に接続し、調整ネジ２２を当該調整ネジ２２の中心軸を中心に回転動作させる。また、動力伝達部３１２は、第１動作部３１１−１と第２動作部３１１−２に対して調整ネジ回転動力を伝達する。また、操作部３１３は、動力伝達部３１２に対して調整ネジ回転動力を付与する操作を行う。
【０１１９】
これにより、作業者は操作部３１３で動力伝達部３１２に対して調整ネジ回転動力を付与する操作を行うことにより、動力伝達部３１２を介して第１動作部３１１−１と第２動作部３１１−２に対して調整ネジ回転動力を伝達させることができる。そのため、第１動作部３１１−１と第２動作部３１１−２により調整ネジ２２を当該調整ネジ２２の中心軸を中心に回転動作させて、第１の上クランプ１Ａ−１と第２の上クランプ１Ａ−２の枠部傾斜調整機構を機能させることができる。このようにして、遊技機の枠部２０１における左右の位置に設けられた第１の上クランプ１Ａ−１と第２の上クランプ１Ａ−２を１つの操作部３１３により遠隔操作することにより、遊技機の枠部２０１の傾斜の調整できる。したがって、作業効率良く遊技機の枠部２０１の傾斜を調整できる。
【０１２０】
また、本実施形態では、動力伝達部３１２は、第１動作部３１１−１に接続する第１動力伝達部材３３１と、第２動作部３１１−２に接続する第２動力伝達部材３３２と、を備えている。また、操作部３１３は、第１動力伝達部材３３１に接続する第１操作機構３５２と、第２動力伝達部材３３２に接続する第２操作機構３５３と、を備えている。
【０１２１】
これにより、操作部３１３の第１操作機構３５２から動力伝達部３１２の第１動力伝達部材３３１を介して第１動作部３１１−１に調整ネジ回転動力を伝達させることができる。また、操作部３１３の第２操作機構３５３から動力伝達部３１２の第２動力伝達部材３３２を介して第２動作部３１１−２に調整ネジ回転動力を伝達させることができる。そのため、第１動作部３１１−１により第１の上クランプ１Ａ−１の調整ネジ２２を当該調整ネジ２２の中心軸を中心に回転動作させて、第１の上クランプ１Ａ−１の枠部傾斜調整機構を遠隔操作することができる。また、第２動作部３１１−２により第２の上クランプ１Ａ−２の調整ネジ２２を当該調整ネジ２２の中心軸を中心に回転動作させて、第２の上クランプ１Ａ−２の枠部傾斜調整機構を遠隔操作することができる。
【０１２２】
また、本実施形態では、操作部３１３は、第１操作機構３５２に設けられるプーリ３６３と、第２操作機構３５３に設けられるプーリ３６３と、第１操作機構３５２に設けられるプーリ３６３と第２操作機構３５３に設けられるプーリ３６３に巻き掛けられるタイミングベルト３５４と、を備えている。
【０１２３】
これにより、第１操作機構３５２または第２操作機構３５３のいずれか一方のプーリ３６３を回転させることにより、タイミングベルト３５４を介して、他方のプーリ３６３を回転させることができる。そのため、第１操作機構３５２または第２操作機構３５３のいずれか一方のプーリ３６３を回転させるだけで、第１の上クランプ１Ａ−１と第２の上クランプ１Ａ−２の枠部傾斜調整機構を、容易に、遠隔操作することができる。
【０１２４】
また、操作部３１３は、両側動力付与モードと片側動力付与モードとに切り替え可能な動力付与モード切替機構を備えている。
【０１２５】
これにより、第１の上クランプ１Ａ−１の調整ネジ２２と第２の上クランプ１Ａ−２の調整ネジ２２の両方を回転させたり、第１の上クランプ１Ａ−１の調整ネジ２２または第２の上クランプ１Ａ−２の調整ネジ２２のいずれか一方のみを回転させることができる。そのため、遊技機の左右方向について、左右同時に遊技機の枠部２０１の傾斜を調整したり、左右個別に遊技機の枠部２０１の傾斜を調整することができる。
【０１２６】
また、第１動作部３１１−１と第２動作部３１１−２は、動力伝達部３１２に接続する接続部３２１と、調整ネジ２２に接続する第５ギヤ３２６と、接続部３２１と第５ギヤ３２６との間で調整ネジ回転動力を伝達する第１ギヤ３２２と第２ギヤ３２３と第３ギヤ３２４と第４ギヤ３２５を備えている。
【０１２７】
これにより、動力伝達部３１２から伝達される調整ネジ回転動力が、接続部３２１から第１ギヤ３２２と第２ギヤ３２３と第３ギヤ３２４と第４ギヤ３２５と第５ギヤ３２６を介して、確実に調整ネジ２２に伝達される。
【０１２８】
また、動力伝達部３１２は、フレキシブルシャフト３４２を備えている。そのため、フレキシブルシャフト３４２を撓ませて所望の位置（例えば、島１０１のランプ板（不図示）と同じ位置、または、ランプ板よりも下方の位置）に操作部３１３を配置した状態で、操作部３１３の操作を行うことができる。
【０１２９】
（変形例の説明）
なお、操作部３１３は、様々な仕様に変更することができる。例えば、第１変形例として、図２１と図２２に示すように、操作部３１３は、第１操作機構３５２に設けられるプーリ３６３と第２操作機構３５３に設けられるプーリ３６３の他に、さらに、プーリ３６５（「第３プーリ」の一例）を備えるとしてもよい。そして、操作部３１３は、第１操作機構３５２に設けられるプーリ３６３とプーリ３６５に巻き掛けられる第１タイミングベルト３５４−１と、第２操作機構３５３に設けられるプーリ３６３とプーリ３６５に巻き掛けられる第２タイミングベルト３５４−２と、を備えるとしてもよい。なお、プーリ３６５の挿入孔３６５ａにシャフト３６６が挿入されている。
【０１３０】
このような第１変形例によれば、プーリ３６５の挿入孔３６５ａに電動ドライバなどの電動工具の軸部の先端を差し込み、電動工具の軸部を回転駆動させることで、プーリ３６５を回転させることができる。そして、これにより、第１タイミングベルト３５４−１を搬送させて、第１操作機構３５２のプーリ３６３を回転させることができる。また、第２タイミングベルト３５４−２を搬送させて、第２操作機構３５３のプーリ３６３を回転させることができる。このように、第１変形例によれば、第１操作機構３５２や第２操作機構３５３に設けられるプーリ３６３だけではなく、プーリ３６５を回転させることによっても、第１の上クランプ１Ａ−１と第２の上クランプ１Ａ−２を遠隔操作することができる。
【０１３１】
また、第２変形例として、図２３と図２４に示すように、操作部３１３は、第１操作機構ギヤ３８１（「第１操作機構歯車」の一例）と、第２操作機構ギヤ３８２（「第２操作機構歯車」の一例）と、メインギヤ３８３（「主歯車」の一例）と、ツマミ３８４と、を備えるとしてもよい。ここで、第１操作機構ギヤ３８１は、動力伝達部３１２の第１動力伝達部材３３１に接続されるギヤである。また、第２操作機構ギヤ３８２は、動力伝達部３１２の第２動力伝達部材３３２に接続されるギヤである。また、メインギヤ３８３は、第１操作機構ギヤ３８１と第２操作機構ギヤ３８２に噛み合うギヤである。また、ツマミ３８４は、メインギヤ３８３を回転させる手段である。
【０１３２】
このような第２変形例によれば、ツマミ３８４によりメインギヤ３８３を当該メインギヤ３８３の中心軸を中心に回転させることにより、第１操作機構ギヤ３８１と第２操作機構ギヤ３８２を回転させることができる。そして、これにより、動力伝達部３１２と第１動作部３１１−１と第２動作部３１１−２を介して、第１の上クランプ１Ａ−１の調整ネジ２２と第２の上クランプ１Ａ−２の調整ネジ２２の両方を回転させて、遊技機の枠部２０１の傾斜を調整することができる。このようにして、第２変形例によれば、電動ドライバなどの電動工具を用いる必要はなく、作業者は手動で第１の上クランプ１Ａ−１と第２の上クランプ１Ａ−２を遠隔操作することができる。
【０１３３】
なお、上記した実施の形態は単なる例示にすぎず、本開示を何ら限定するものではなく、その要旨を逸脱しない範囲内で種々の改良、変形が可能であることはもちろんである。
【０１３４】
例えば、遊技機には、パチンコの他に、アレンジボール、雀球又はスロットマシンも含まれるとしてもよい。また、その取付けの際には、島設備に設けられている支柱等にベルト１６を巻きつけ、ベルト１６を締め上げることで固定することが可能である。またその際には、当接部材を必ず使用する必要はなく、プレート１３の一部を加工することで保持部として構成するようにしてもよい。
【０１３５】
また、帯状部材保持部には、ラチェット機構１７の他に、クリップなどの留め具も含まれるとしてもよい。また、調整ネジ２２の代わりに、ハンドル部を備えた可撓自在な軸であるフレキシブルシャフトを使用してもよい。
【０１３６】
また、ストッパ１４の形状は変更可能であり、取付け対象となる遊技機の種類によって交換可能に構成してもよい。また、取り付ける島１０１の環境によっては、水平材１１２の上下方向の厚さが異なる場合も考えられる。その場合であっても例えば、ストッパ１４についてその本体部３７がストッパ鍔部３８よりも下方向に位置するような形状とすることで、ベース１１とストッパ１４との間の距離を調整可能に構成してもよい。また、水平材１１２の前後方向の厚さ又は形状が異なる場合も考えられる。この場合であっても例えば、ストッパ１４についてその本体部３７の前後方向の長さ又は枠部２０１の背部２２１の形状に合わせてストッパ１４を交換することで、取り付ける島１０１の環境に応じた設置が可能となる。
【０１３７】
また、本実施形態の遠隔操作ユニット３０１は、上クランプ１や上クランプ１Ａ以外の遊技機の取付け装置（例えば、ベルト１６を備えていない装置）にも適用できる。
【符号の説明】
【０１３８】
１  上クランプ
１Ａ  上クランプ
１Ａ−１  第１の上クランプ
１Ａ−２  第２の上クランプ
２  下クランプ
１１  ベース
１２  スライダ
１３  プレート
１３ｄ  切り欠き部
１４  ストッパ
１５  ピン
１５ａ  一端部
１５ｂ  他端部
１６  ベルト
１６ａ  一端部（長手方向の一端側の部位）
１６ｂ  他端部（長手方向の他端側の部位）
１７  ラチェット機構
２１  ナットベース
２２  調整ネジ
２３  ガイド
３４  ガイド孔
４０  ストッパゴム
４１  スナップリング
４３  プレート取付け部
４４  ハンドル部
４５  軸部
４９  Ｔ字部材
５２  ナット部
５３  ネジ部
５４  操作部
５５  基端部
５６  バネ
５７  目盛り
６１  枠押さえベース
６３  枠押さえボルト
６４  下部ストッパボルト
８１  固定ベース
８２  可動ベース
９１  溝
９１ａ  内壁面
９２  座金
９２ａ  ネジ穴
９３  開口部
１０１  島（遊技機島）
１１１  テーブル
１１２  水平材
１２１  敷きシート
２０１  枠部
２１１  上部
２１２  下部
２２１  背部
２２２  背部
３０１  遠隔操作ユニット
３１１−１  第１動作部
３１１−２  第２動作部
３１２  動力伝達部
３１３  操作部
３２１  接続部
３２６  第５ギヤ
３３１  第１動力伝達部材
３３２  第２動力伝達部材
３４２  フレキシブルシャフト
３５２  第１操作機構
３５３  第２操作機構
３５４  タイミングベルト
３５４−１  第１タイミングベルト
３５４−２  第２タイミングベルト
３６１  接続部
３６１ａ  挿入孔
３６２  シャフト
３６３  プーリ
３６３ａ  挿入孔
３６４  シャフトロックリリース板
３６５  プーリ
３６５ａ  挿入孔
３７１  凹部
３７１ａ  固定部位
３７１ｂ  解放部位
３８１  第１操作機構ギヤ
３８２  第２操作機構ギヤ
３８３  メインギヤ
【図１】
2019136325.tif 000003
【図２】
2019136325.tif 000004
【図３】
2019136325.tif 000005
【図４】
2019136325.tif 000006
【図５】
2019136325.tif 000007
【図６】
2019136325.tif 000008
【図７】
2019136325.tif 000009
【図８】
2019136325.tif 000010
【図９】
2019136325.tif 000011
【図１０】
2019136325.tif 000012
【図１１】
2019136325.tif 000013
【図１２】
2019136325.tif 000014
【図１３】
2019136325.tif 000015
【図１４】
2019136325.tif 000016
【図１５】
2019136325.tif 000017
【図１６】
2019136325.tif 000018
【図１７】
2019136325.tif 000019
【図１８】
2019136325.tif 000020
【図１９】
2019136325.tif 000021
【図２０】
2019136325.tif 000022
【図２１】
2019136325.tif 000023
【図２２】
2019136325.tif 000024
【図２３】
2019136325.tif 000025
【図２４】
2019136325.tif 000026